(57)【要約】【課題】入出力信号線とセンサカバーとの接合部を簡易且つ確実に固定することができるセンサ付軸受装置を提供する。【解決手段】本発明のセンサ付軸受装置１は、回転側軌道輪１２と固定側軌道輪１３との間に複数の転動体１１が組み込まれてなる転がり軸受１０と、転がり軸受１０の状態を検出可能なセンサ２２と、固定側軌動輪１３に固定された環状のセンサカバー２６と、センサカバー２６の内方に固定され、センサ２２を保持するセンサハウジング２１と、センサ２２に接続された入出力信号線２７と、入出力信号線２７が内部に挿通された信号線保護カバー２９とを備え、センサカバー２６における所定の位置には開口部が設けられ、開口部近傍に嵌合部２６ｄが形成され、信号線保護カバー２９が嵌合部２６ｄに嵌合されることでセンサカバー２６及びセンサハウジング２１に固定される構成である。【選択図】  図１
2004308707.tif 000002
【特許請求の範囲】
【請求項１】
回転側軌道輪と固定側軌道輪との間に複数の転動体が組み込まれてなる転がり軸受と、
前記転がり軸受の状態を検出可能なセンサと、
前記固定側軌動輪に固定された環状のセンサカバーと、
前記センサカバーの内方に固定され、前記センサを保持するセンサハウジングと、
前記センサに接続された入出力信号線と、
前記入出力信号線が内部に挿通された信号線保護カバーとを備え、
前記センサカバーにおける所定の位置には開口部が設けられ、前記開口部近傍に嵌合部が形成され、前記信号線保護カバーが前記嵌合部に嵌合されることで前記センサカバー及び前記センサハウジングに固定される構成であることを特徴とするセンサ付軸受装置。
【請求項２】
前記信号線保護カバーに形成された嵌合突起が、前記センサハウジングに形成された嵌合凹部に嵌合されることを特徴とする請求項１に記載のセンサ付軸受装置。
【発明の詳細な説明】
【０００１】
【発明の属する技術分野】
本発明は、センサを転がり軸受の軌道輪に設けたセンサ付軸受装置に関し、詳しくは、センサに接続された入出力信号線を保護する構造を有するセンサ付軸受装置に関する。
【０００２】
【従来の技術】
従来、エンジンの出力軸や回転軸の回転数又は回転角の検出方法として、回転ドラムの周囲に多極に着磁した回転素子を設け、この回転素子の回転に伴う磁気の変化を、検出センサによって検出し、信号として出力する回転センサを用いる方法が知られている（例えば、特許文献１参照）。
【０００３】
図４は、上記従来の回転センサが取り付けられたセンサ付軸受装置を示している。図４に示すように、センサ付軸受装置１００は、回転側軌道輪である内輪１０２と、固定側軌道輪である外輪１０３と、内輪１０２と外輪１０３との間に介挿された複数の転動体（玉）１０１とを有している。内輪１０２の軸方向端面には、多極に着磁されたマグネット１１５が装着されている。また、外輪の軸方向端部にはセンサカバー１１６が嵌合され、該センサカバー１１６の内部には、センサ１１２と、該センサ１１２が接続された基板１１３とがセンサハウジング１１１によって嵌め合い固定されている。上記基板１１３には入出力信号線１１７が接続され、該入出力信号線１１７はセンサカバー１１６に形成された貫通口１１８を介してセンサカバー１１６の径方向外側に導出されている。このとき、入出力信号線１１７は、貫通口１１８の内側面と嵌め合うように形成された樹脂製の信号線保護カバー１１９によってセンサカバー１１６に固定されている。
【０００４】
【特許文献１】
特開２００２−２１３４７２号公報
【０００５】
【発明が解決しようとする課題】
ところで、上述した従来のセンサ付軸受装置１００は、信号線保護カバー１１９が外部からの振動や入出力線に作用する荷重によってセンサカバー１１６から外れてしまう点で改善の余地があった。
また、信号線保護カバー１１９とセンサカバー１１６とを樹脂でモールド加工することが考案されているが、生産工程が複雑になることが懸念されていた。
【０００６】
本発明は、上記事情に鑑みてなされたもので、その目的は、入出力信号線とセンサカバーとの接合部を簡易且つ確実に固定することができるセンサ付軸受装置を提供することにある。
【０００７】
【課題を解決するための手段】
本発明の上記目的は、回転側軌道輪と固定側軌道輪との間に複数の転動体が組み込まれてなる転がり軸受と、転がり軸受の状態を検出可能なセンサと、固定側軌動輪に固定された環状のセンサカバーと、センサカバーの内方に固定され、前記センサを保持するセンサハウジングと、センサに接続された入出力信号線と、入出力信号線が内部に挿通された信号線保護カバーとを備え、センサカバーにおける所定の位置には開口部が設けられ、開口部近傍に嵌合部が形成され、信号線保護カバーが嵌合部に嵌合されることでセンサカバー及びセンサハウジングに固定される構成であることを特徴とするセンサ付軸受装置によって達成される。
【０００８】
上記構成によれば、信号線保護カバーがセンサカバーの嵌合部に嵌合されることで、センサハウジングにも固定される。このため、信号線保護カバーがセンサカバーとセンサハウジングとの両方に固定することができるため、信号線保護カバーの取り付けがより一層強固になる。すると、センサカバーが外部から振動を受けた場合や入出力信号線に荷重がかかる場合でも、信号線保護カバーがセンサカバー及びセンサハウジングに対して相対的に移動することが防止され、信号線保護カバーの内部に挿通された入出力信号線が外部から負荷を受けることで断線することや接触不良になることを防止することができる。
また、信号線保護カバーをセンサカバーの嵌合部に嵌合させる構成のため、入出力信号線をセンサカバー内に樹脂モールドや接着等によって固定するといった複雑な作業を行う必要がなく、入出力信号線をセンサカバーに簡易に固定することができる。
【０００９】
上記センサ付軸受装置において、前記信号線保護カバーに形成された嵌合突起が、前記センサハウジングに形成された嵌合凹部に嵌合されることが好ましい。こうすれば、信号線保護カバーが、センサカバーの嵌合部への嵌合によってセンサカバーに固定されるとともに、センサハウジングの嵌合凹部へ嵌合突起を嵌合させることで、信号線保護カバーをセンサハウジングに固定することができる。このため、入出力信号線とセンサカバーとの接合部をより一層確実に固定することができる。
【００１０】
【発明の実施の形態】
以下、本発明の実施形態を図面に基づいて詳しく説明する。
図１は、本発明にかかるセンサ付軸受装置の一実施形態を示す要部断面図である。図２は、図１のセンサ付軸受装置のセンサカバー及び信号線保護カバーを示す斜視図である。図３は、図１のセンサ付軸受装置の信号線保護カバーを示す斜視図である。
【００１１】
図１に示すように、センサ付軸受装置１は、転がり軸受１０を備えている。転がり軸受１０は、回転側軌道輪である内輪１２と固定側軌道輪である外輪１３と内輪１２及び外輪１３との間に転動自在に介挿された複数の転動体（玉）１１とを有している。複数の転動体１１は、図示しない保持器に周方向等間隔になるように保持されている。
【００１２】
また、センサ付軸受装置１は、転がり軸受１０の軸方向端面側（図１中上端面側）に状態を検出可能なセンサユニット２０を備えている。
センサユニット２０は、センサハウジング２１と、センサハウジング２１に支持されたセンサ本体（センサ）２２と、プリント基板２３と、転がり軸受１０の内輪（可動側の軌道輪）１２にブラケット２４を介して固定された多極マグネット（エンコーダ）２５と、環状のセンサカバー２６とを備えている。
【００１３】
多極マグネット２５は、内輪１２とともに一体的に回転する。センサ本体２２は、多極マグネット２５の回転方向の移動を検出可能な位置検出用ホールＩＣ及び回転数用ホールＩＣからなる。プリント基板２３には、センサ本体２２による検出信号を処理する電子回路が実装されており、入出力信号線２７の一端が接続されている。
【００１４】
図１及び図２に示すように、センサカバー２６は、例えば金属板を板金加工して成形されており、環状部２６ａと、環状部２６ａの軸方向一端側（図２中下側）に設けられたフランジ部２６ｂと、環状部２６ａの軸方向他端側（図２中上側）に設けられた側面部２６ｃとから構成されている。
センサカバー２６は、フランジ部２６ｂを転がり軸受１０の外輪１３の外周縁部に圧入嵌合されることによって固定されている。
【００１５】
センサカバー２６の環状部２６ａにおける所定の位置には、開口部（図示しない）が形成されている。開口部近傍（例えば、開口部の周縁部）には、環状部２６ａから径方向に突設された突起状の嵌合部２６ｄが設けられている。嵌合部２６ｄは、センサカバー２６の環状部２６ａにおける一部に形成された図示しない切込部を、径方向外側に突出するように図２中上方に折り曲げられてなる。
【００１６】
センサ本体２２とプリント基板２３とを保持するセンサハウジング２１がセンサカバー２６の環状部２６ａ及び側面部２６ｃの内方に嵌合固定されている。センサカバー２６の側面部２６ｃ内側（図２中下側）には、プリント基板２３が側面部２６ｃと近接して設けられる。また、センサカバー２６の嵌合部２６ｄは、その先端（図２中左端）に二股状になるように一対の片が形成されている。
【００１７】
図３に示すように、信号線保護カバー２９は、入出力信号線２７が挿通される貫通孔２９ａを有するとともに、上面２９ｄに断面視（図中矢印Ｘ方向視）Ｔ字状に形成された突起２９ｂが設けられている。図２に示すように、突起２９ｂをセンサカバー２６の径方向外側（図２中右側）からセンサカバー２６の嵌合部２６ｄの先端に嵌合させることによって、信号線保護カバー２９がセンサカバー２６に固定される。このとき、突起２９ｂと嵌合部２６ｄとの結合によって、信号線保護カバー２９がセンサカバー２６に対して軸方向（図２中上下方向）及び周方向に相対的に移動することが規制される。
【００１８】
また、図３に示すように、信号線保護カバー２９におけるセンサカバー２６側の側面２９ｅには、一対の嵌合突起２９ｃが設けられている。一対の嵌合突起２９ｃはそれぞれ側面２９ｅに対して略垂直に突設されている。また、一対の嵌合突起２９ｃは、互いの間に貫通孔２９ａが位置するように設けられている。こうすることで、信号線保護カバー２９をセンサカバー２６に嵌合させた際に、嵌合突起２９ｃと入出力信号線２７とが互いに干渉することを回避することができる。
【００１９】
また、センサハウジング２１には、信号線保護カバー２９の嵌合突起２９ｃと嵌合可能な（図示しない）嵌合凹部が形成されている。信号線保護カバー２９をセンサカバー２６に嵌合させると、一対の嵌合突起２９ｃのそれぞれがセンサハウジング２１の嵌合凹部に嵌合される構成である。言い換えると、信号線保護カバー２９を嵌合部に嵌合させることで、信号線保護カバー２９がセンサカバー２６及びセンサハウジング２１に固定される構成である。
【００２０】
本発明のセンサ付軸受装置１は、回転側軌道輪（上記実施形態において内輪）１２と固定側軌道輪（上記実施形態において外輪）１３との間に複数の転動体１１が組み込まれてなる転がり軸受１０と、転がり軸受１０の状態を検出可能なセンサ２２と、固定側軌動輪１３に固定された環状のセンサカバー２６と、センサカバー２６の内方に固定され、センサ２２を保持するセンサハウジング２１と、センサ２２に接続された入出力信号線２７と、入出力信号線２７が内部に挿通された信号線保護カバー２９とを備え、センサカバー２６における所定の位置には開口部が設けられ、開口部近傍に嵌合部２６ｄが形成され、信号線保護カバー２９が嵌合部２６ｄに嵌合されることでセンサカバー２６及びセンサハウジング２１に固定される構成であることを特徴とする。
【００２１】
本発明のセンサ付軸受装置１において、信号線保護カバー２９が、センサカバー２６の嵌合部２６ｄに嵌合されることによって、センサハウジング２１にも固定される。つまり、信号線保護カバー２９がセンサカバー２６とセンサハウジング２１との両方に固定することができるため、信号線保護カバー２９の取り付けがより一層強固になる。すると、センサカバー２６が外部から振動を受けた場合や入出力信号線２７に荷重がかかる場合でも、信号線保護カバー２９がセンサカバー２６及びセンサハウジング２１に対して相対的に移動することが防止される。このため、信号線保護カバー２９の内部に挿通された入出力信号線２７が外部から負荷を受けることで断線することや接触不良になることを防止することができる。
【００２２】
また、信号線保護カバー２９をセンサカバー２６の嵌合部２６ｄに嵌合させる構成のため、入出力信号線２７をセンサカバー２６内に樹脂モールドや接着等によって固定するといった複雑な作業を行う必要がなく、入出力信号線２７をセンサカバー２６に簡易に固定することができる。
【００２３】
なお、本発明は、前述した実施形態に限定されるものではなく、適宜な変形、改良などが可能である。
例えば、内輪を固定側軌道輪とし、外輪を回転側軌道輪とするセンサ付軸受装置に適用することができる。
【００２４】
【発明の効果】
以上説明したように、本発明によれば、入出力信号線とセンサカバーとの接合部を簡易且つ確実に固定することができるセンサ付軸受装置を提供することができる。
【図面の簡単な説明】
【図１】本発明の一実施形態であるセンサ付軸受装置を示す要部断面図である。
【図２】図１のセンサ付軸受装置のセンサカバー及び信号線保護カバーを示す斜視図である。
【図３】図１のセンサ付軸受装置の信号線保護カバーを示す斜視図である。
【図４】従来のセンサ付き軸受装置を示す断面図である。
【符号の説明】
１  センサ付軸受装置
１０  転がり軸受
１１  転動体
１２  内輪（回転側軌道輪）
１３  外輪（固定側軌道輪）
２０  センサユニット
２１  センサハウジング
２２  センサ本体
２３  プリント基板
２４  ブラケット
２５  多極マグネット（エンコーダ）
２６  センサカバー
２７  入出力信号線
２８  開口部
２９  信号線保護カバー
【図１】
2004308707.tif 000003
【図２】
2004308707.tif 000004
【図３】
2004308707.tif 000005
【図４】
2004308707.tif 000006